(57)【特許請求の範囲】
【請求項１】
浴槽と、
前記浴槽の下方に配置され、水平状の長辺フレームと水平状の短辺フレームを有する浴槽架台と、
前記浴槽の裏面に浴槽と一体または別体に形成され、浴槽の短手方向の位置決めが可能な凸状の凸部と、
前記浴槽架台における長辺フレームと短辺フレームのうち、全体が長辺フレーム上に載置された状態で、前記浴槽を前記長辺フレームに固定する固定部材と、を備えた浴槽支持構造であって、
前記固定部材は、前記浴槽に固定される浴槽側固定部と、前記浴槽側固定部より外方側に延在した位置に配置され、前記長辺フレームに固定される架台側固定部とを有することを特徴とする浴槽支持構造。
【請求項２】
前記固定部材の前記架台側固定部は、前記長辺フレームにおける洗い場側の側面に配置されていることを特徴とする請求項１記載の浴槽支持構造。
【発明の詳細な説明】
【技術分野】
【０００１】
本発明は、浴室ユニット等において、浴槽を浴槽架台上に載置する浴槽支持構造に関する。
【背景技術】
【０００２】
浴室ユニット等において、浴槽を浴槽架台上に載置する際、従来、浴槽に取り付けられた支持脚を浴槽架台上に固定された皿部材の上部に載置していた。つまり、支持脚の高さを調整して浴槽の高さ調整を行う作業と、皿部材に対する支持脚の設置位置の調整作業とが必要であった。
【０００３】
この問題を解決するものとして、洗い場パンの裏側から延出された補強フレーム上に、別体の浴槽脚を介在させて別体の浴槽を固設する洗い場付浴槽の設置構造であって、前記浴槽脚は、前記浴槽の裏側に固設される浴槽取付部と、該浴槽取付部の下部に設けられて前記補強フレームを挟み込むことのできる下向きに開放したコの字状のフレーム挟み部と、該フレーム挟み部を前記補強フレームに固定するための固定用孔を備える洗い場付浴槽の設置構造が開示されている（例えば、特許文献１参照。）。
【０００４】
この洗い場付浴槽の設置構造は、浴槽架台における長辺フレームと短辺フレームのうち、凹状の浴槽脚の全体が短辺フレーム上に載置された状態で、固定部材を介して浴槽を短辺フレームに固定している。具体的には、固定部材は浴槽と、浴槽架台の短辺フレームに固定されている。この構造によって、架台上に載置される浴槽の高さ調整および設置位置調整が容易になる。
【０００５】
また、施工方法は、予め浴槽に固定部材を固定しておき、浴槽設置後に長辺側の浴槽外面と洗い場床の間の隙間から手を入れて、浴槽架台に固定部材を固定する作業を行う。
【特許文献１】特開２００５−１６２６３号公報
【発明の開示】
【発明が解決しようとする課題】
【０００６】
しかしながら、斯かる構造では、長辺側の浴槽外面と洗い場床の間の隙間から手を入れて、浴槽架台に固定部材を固定する必要があり、特に小さいサイズの浴室においては、その隙間が小さいため、施工性が悪いという問題があった。一方、作業空間を広くしようとすると浴槽の内槽幅が狭くなってしまうという問題があった。
【０００７】
本発明は、上述した事情を考慮してなされたもので、架台上に載置される浴槽の高さ調整および設置位置調整が容易で、且つ浴槽を容易に浴槽架台に固定することが可能な施工性の良い浴槽支持構造を提供することを目的とする。
【課題を解決するための手段】
【０００８】
本発明に係る浴槽支持構造は、上述した課題を解決するために、その主要な態様として、浴槽と、前記浴槽の下方に配置され、水平状の長辺フレームと水平状の短辺フレームを有する浴槽架台と、前記浴槽の裏面に浴槽と一体または別体に形成され、浴槽の短手方向の位置決めが可能な凸状の凸部と、前記浴槽架台における長辺フレームと短辺フレームのうち、全体が長辺フレーム上に載置された状態で、前記浴槽を前記長辺フレームに固定する固定部材と、を備えた浴槽支持構造であって、前記固定部材は、前記浴槽に固定される浴槽側固定部と、前記浴槽側固定部より外方側に延在した位置に配置され、前記長辺フレームに固定される架台側固定部とを有するものである。
【発明の効果】
【０００９】
本発明に係る浴槽支持構造によれば、架台上に載置される浴槽の高さ調整および設置位置調整が容易で、且つ浴槽を容易に浴槽架台に固定することができる。
【発明を実施するための最良の形態】
【００１０】
本発明に係る浴槽支持構造の実施の形態について、添付図面を参照して説明する。
【００１１】
図１は、本実施形態に係る浴槽支持構造の短辺方向側面図であり、図２は、同長辺方向の側面図、図３は斜視図である。
【００１２】
これらの図に示すように、浴槽１は、浴槽架台３上に載置されている。
【００１３】
浴槽架台３は、水平な部材として、浴槽の短辺方向に平行な２本の短辺フレーム４と、浴槽の長辺方向に平行な２本の長辺フレーム５とを備える。また、垂直な部材として、２本の支柱６を備える。
【００１４】
短辺フレーム４は、一端が支柱６の上端に固定され、他端は、浴槽架台３に隣接する洗い場架台８の支柱９の側面に当接し、洗い場架台８の支柱９の側面に設けられた略Ｚ字状の連結材１０の鍔部１０ａ上に載置固定された形で横設される。
【００１５】
長辺フレーム５は、その両端が短辺フレーム４上に載置固定された状態で横設される。
浴槽１は、この長辺フレーム５上に載置される。浴槽１の裏面には、２本の長辺フレーム５間に丁度納まる長さを有する凸部１ａが設けられる。この凸部１ａによって短辺方向の位置が規制される。
【００１６】
また、洗い場側に近い方の長辺フレーム５上において、浴槽１底部の長辺方向の両端には、固定部材７が取り付けられ、浴槽１の長辺方向の位置が固定される。
【００１７】
浴槽１の長辺方向の一端に半身浴ステップ１ｂが設けられ、半身浴ステップ１ｂの底部には支持脚２が垂設され、支持脚２の下端は長辺フレーム５上に載置されて、半身浴ステップ１ｂに掛かる荷重を支えている。
【００１８】
図４は、この浴槽を下から見上げた斜視図であり、図５は、図４の部分拡大図である。
【００１９】
固定部材７は、浴槽１に固定される浴槽側固定部７ａと、浴槽側固定部７ａより外方側に延在した位置に配置され、長辺フレーム５に固定される架台側固定部７ｂとを有する。
【００２０】
浴槽側固定部７ａは、洗い場側に近い方の長辺フレーム５の直上に位置する浴槽１の底部裏面に垂設されたリブ１ｃに予めねじ止めされる。浴槽側固定部７ａには、このねじ止め時の位置決めが容易となるように、リブの外側に当接する立ち上がり部７ｃが立設される。
【００２１】
他方、架台側固定部７ｂは、その断面が略Ｌ字状を呈し、長辺フレーム５の上面及び洗い場側に面する方の側面に当接する。そして、浴槽１が長辺フレーム５上の所定の位置に載置された後、長辺フレーム５側面においてねじ止めされる。
【００２２】
本実施の形態に係る浴槽支持構造は上記のように構成されることにより、以下の効果を奏する。
【００２３】
浴槽１は、長辺フレーム５上に直接載置され、浴槽支持脚が不要なため、浴槽１の高さ調整は浴槽架台３の高さ調整だけでよい。また、位置調整は、浴槽の短辺方向が、凸部１ａによって位置決めされるため、長辺方向の調整だけでよい。
【００２４】
また、短辺側の浴槽外面から外方側に形成される大きなスペースで固定作業が行えるので、浴槽の形状の制約を受けず、浴槽を容易に浴槽架台に固定することができる。
【００２５】
浴槽は、外寸が同じであっても形状の異なる複数の種類を品揃えしている。例えば、内槽が角型／丸型の浴槽があったり、半身浴ステップあり／なしの浴槽があったりする。
【００２６】
これらは、浴槽の短辺方向における浴槽支持脚（浴槽荷重を浴槽架台に伝達する部材）の位置は同じにすることが可能であるが、浴槽の長辺方向における浴槽支持脚の位置は浴槽の内槽形状によって変えなければならない。
【００２７】
このため、浴槽外寸が同じであっても、浴槽内槽形状の違いにそれぞれ対応する浴槽架台を準備する必要があったため、浴槽架台の品番が増え、好ましくなかった。
【００２８】
しかしながら、本発明によれば、固定部材７は長辺フレーム５上に配置されるので、外寸が同じであって内槽形状の異なる多種の浴槽を支持する浴槽架台を兼用することが可能な浴槽支持構造を提供することができる。
【００２９】
この点、特許文献１に記載の洗い場付浴槽の設置構造では、浴槽底面に凹状のフレーム挟み部を設けているが、浴槽架台の短辺フレームに全体が取り付けられている。つまり、浴槽の内槽形状が異なると、フレーム挟み部の長辺方向の位置が変わるため、浴槽の内槽形状に応じて個別の架台を使用しなければならず、品番が増えてしまい、好ましくない。
【００３０】
本実施形態では、凸部１ａは、浴槽１裏面に一体に形成されているが、これとは異なり、浴槽１から着脱自在な別体として構成してもよい。
【００３１】
また、この凸部１ａは、本実施形態では、２本の長辺フレーム５間にのみ形成されていたが、図６に示すように、長辺フレーム５の外側にも設け、複数の凸部１ａにより長辺フレーム５を挟み込むようにして浴槽の短辺方向の位置を規制してもよい。
【図面の簡単な説明】
【００３２】
【図１】本発明に係る浴槽支持構造の一実施形態を示す短辺方向側面図。
【図２】本実施形態に係る浴槽支持構造の長辺方向側面図。
【図３】本浴槽支持構造の斜視図。
【図４】本実施形態に係る浴槽を下から見上げた斜視図。
【図５】図４の部分拡大図。
【図６】凸部の変形例を示す図。
【符号の説明】
【００３３】
１  浴槽
１ａ  凸部
１ｂ  半身浴ステップ
１ｃ  リブ
２  支持脚
３  浴槽架台
４  短辺フレーム
５  長辺フレーム
６  支柱
７  固定部材
７ａ  浴槽側固定部
７ｂ  架台側固定部
８  洗い場架台
９  支柱
１０  連結材
１０ａ  鍔部
【図１】
0005035757.tif 000002
【図２】
0005035757.tif 000003
【図３】
0005035757.tif 000004
【図４】
0005035757.tif 000005
【図５】
0005035757.tif 000006
【図６】
0005035757.tif 000007